(57)【要約】【課題】収納ボックスの停止時の騒音の発生を抑止できる床下収納装置を提供する。【解決手段】床下収納装置１０は床下１２の収納口１４付近に立脚された一対の内側支柱１６と、床下１２の収納口１４から離間した位置に立脚された一対の外側支柱１７と、内側支柱１６と外側支柱１７との間に架設された一対の梁部材１８とを備えており、両梁部材１８には一対の支持プレート３０、３０が垂下され、両支持プレート３０、３０には収納ボックス１９を移動自在に支承する一対のガイドレール３２、３２と、収納ボックス１９の後退終期において移動の停止を制御する停止制御装置４０とが設置されている。ガイドレール上を走行する収納ボックスの停止時の衝撃の発生自体を、停止制御装置により防止できるので、収納ボックスの停止時の衝撃音を抑止できる。【選択図】図４
2007177532.tif 000002
【特許請求の範囲】
【請求項１】
床の基礎の上に敷設された床板に収納口が開設されており、収納ボックスが前記床の基礎と前記床板との間に形成された床下に前記収納口に対して移動自在に設置されている床下収納装置であって、
前記床下の前記収納口付近にそれぞれ立脚された一対の内側支柱と、前記床下の前記収納口から離間した位置にそれぞれ立脚された一対の外側支柱と、これらの内側支柱と外側支柱との間にそれぞれ架設された一対の梁部材とを備えており、
前記一対の梁部材に一対の支持プレートがそれぞれ垂下されており、
前記一対の支持プレートには、前記収納ボックスを移動自在に支承する一対のガイドレールと、この一対のガイドレールに支承された前記収納ボックスの移動の停止を制御する停止制御装置とが設置されていることを特徴とする床下収納装置。
【請求項２】
前記停止制御装置は、前記一対のガイドレールの少なくとも一方に設置されていることを特徴とする請求項１に記載の床下収納装置。
【請求項３】
前記ガイドレールは、支持プレートの下端と前記収納ボックスの底面との間に敷設されていることを特徴とする請求項１または２に記載の床下収納装置。
【請求項４】
前記ガイドレールは、支持プレートの下端と前記収納ボックスの側面との間に敷設されていることを特徴とする請求項１または２に記載の床下収納装置。
【請求項５】
前記ガイドレールは、テレスコープ構造に構成されていることを特徴とする請求項１、２、３または４に記載の床下収納装置。
【発明の詳細な説明】
【技術分野】
【０００１】
本発明は、床下収納装置に関する。
【背景技術】
【０００２】
住宅の収納スペースを増加するための床下収納装置として、床の基礎の上に敷設された床板に収納口が開設されており、収納ボックスが床の基礎と床板との間に形成された床下に収納口に対して移動自在に設置されているものがある。
従来のこの種の床下収納装置において収納ボックスを収納口に対して移動自在とする構造としては、収納口に水平に敷設したガイドレールに収納ボックスを吊持して、収納ボックスを走行させる構造がある。
【０００３】
このように収納ボックスがガイドレール上を走行する床下収納装置においては、走行が滑らかなために、走行中の騒音や振動は充分に抑制することができるが、走行が滑らかな分、収納ボックスの停止時の衝撃が大きくなってしまう。
そこで、停止時の衝撃を緩和するために、収納ボックスとストッパ（梁部材）との間にショックアブソーバやゴムまたはスプリング等の弾性材等の緩衝装置を介在させた構造が、提案されている（例えば、特許文献１参照）。
【特許文献１】特開２００２−２７６１４６号公報
【発明の開示】
【発明が解決しようとする課題】
【０００４】
しかしながら、従来の収納ボックスがガイドレール上を走行する床下収納装置においては、収納ボックスの停止時の衝撃はショックアブソーバ等の緩衝装置では充分に抑制することができず、しかも、停止時の衝撃音がガイドレールや梁部材を伝わって床に響き、また、梁部材から支柱に伝わり、そこから床下地すなわち階下の天井にまで伝わる衝撃音を充分に抑制することができないという問題点が、本発明者によって明らかにされた。
【０００５】
本発明の目的は、収納ボックスの停止時の騒音の発生を抑止することができる床下収納装置を提供することにある。
【課題を解決するための手段】
【０００６】
本願が開示する発明のうち代表的なものは、次の通りである。
（１）床の基礎の上に敷設された床板に収納口が開設されており、収納ボックスが前記床の基礎と前記床板との間に形成された床下に前記収納口に対して移動自在に設置されている床下収納装置であって、
前記床下の前記収納口付近にそれぞれ立脚された一対の内側支柱と、前記床下の前記収納口から離間した位置にそれぞれ立脚された一対の外側支柱と、これらの内側支柱と外側支柱との間にそれぞれ架設された一対の梁部材とを備えており、
前記一対の梁部材に一対の支持プレートがそれぞれ垂下されており、
前記一対の支持プレートには、前記収納ボックスを移動自在に支承する一対のガイドレールと、この一対のガイドレールに支承された前記収納ボックスの移動の停止を制御する停止制御装置とが設置されていることを特徴とする床下収納装置。
（２）前記停止制御装置は、前記一対のガイドレールの少なくとも一方に設置されていることを特徴とする前記（１）に記載の床下収納装置。
（３）前記ガイドレールは、支持プレートの下端と前記収納ボックスの底面との間に敷設されていることを特徴とする前記（１）または（２）に記載の床下収納装置。
（４）前記ガイドレールは、支持プレートの下端と前記収納ボックスの側面との間に敷設されていることを特徴とする前記（１）または（２）に記載の床下収納装置。
（５）前記ガイドレールはテレスコープ構造に構成されていることを特徴とする前記（１）〜（４）のいずれかに記載の床下収納装置。
【発明の効果】
【０００７】
前記した（１）によれば、ガイドレール上を走行する収納ボックスの停止時の衝撃の発生自体を、停止制御装置によって防止することができるので、収納ボックスの停止時の衝撃音を抑止することができる。
【発明を実施するための最良の形態】
【０００８】
以下、本発明の一実施の形態を図面に即して説明する。
【０００９】
本実施の形態において、本発明に係る床下収納装置は、マンション等の集合住宅や戸建て住宅の二階以上の部屋のように階下に居室がある床下に設置するのに好適なものとして構成されている。
すなわち、図１に示されているように、床下収納装置１０が設置される床下１１は床の基礎（以下、基礎という。）１２と床板１３との間に構成されている。
【００１０】
図１に示されているように、床板１３には略正方形の収納口１４が開設されており、収納口１４にはこれを閉塞する蓋体１５が着脱自在に被せられている。
基礎１２の上面における収納口１４の四隅に対応する位置には四本の内側支柱１６がそれぞれ配置されて垂直に立脚されている。基礎１２の上面における収納口１４から四方に離間した位置には八本の外側支柱１７が、四本の内側支柱１６にそれぞれ対向するように配置されて垂直に立脚されている。
互いに対向した内側支柱１６と外側支柱１７との間には梁部材１８がそれぞれ水平に架設されており、一対となる梁部材１８、１８同士は同一高さに配置されている。
【００１１】
内側支柱１６および外側支柱１７は、床板１３を全体的に支持する複数本の支柱（束石や束、大引および根太）とは別に構成されており、同一の規格のものが多数本予め準備されている。ここで、内側支柱１６および外側支柱１７の構成を外側支柱１７を代表例として具体的に説明する。
図２および図３に示されているように、外側支柱１７はゴムまたは樹脂等の弾性材料が使用されて円錐台形状に形成されて中心線上に貫通孔を有する防振台座１７ａと、建築用鋼材や樹脂等が使用されて円筒形状に形成されたアジャスタボルト１７ｂと、アジャスタボルト１７ｂの雄ねじ部に進退自在に螺合された支持ナット１７ｃと、支持ナット１７ｃの鍔部の上面に載せられて固定された受座１７ｄとを備えている。
外側支柱１７の立脚作業に際して、防振台座１７ａおよび支持ナット１７ｃが組み付けられたアジャスタボルト１７ｂは、収納口１４の所定の隅部に対応した基礎１２の上に設置される。
次いで、工具（図示せず）が受座１７ｄの工具挿通孔を挿通して工具係合部に係合されてアジャスタボルト１７ｂが回転されることにより、支持ナット１７ｃが昇降されて受座１７ｄの高さが予め指定された高さに調整される。
以上のようにして、内側支柱１６と外側支柱１７とが指定された位置に立脚される。
その後、梁部材１８が内側支柱１６と外側支柱１７との間に架設される。
【００１２】
梁部材１８は建築用鋼材等が使用されて横長の長方形のパイプ形状に形成されている。梁部材１８の架設工事に際して、梁部材１８は内側支柱１６の受座１６ｄと外側支柱１７の受座１７ｄとの上に載せられ接着等によって固定される。
【００１３】
一対の梁部材１８、１８には一対の支持プレート３０、３０がそれぞれ垂下されており、両支持プレート３０、３０間には収納ボックス１９が収納口１４に対して進退する方向に移動自在に支承されている。
図１においては、三台の収納ボックス１９が床下１１における収納口１４の四方に十字形状に架設された四組の梁部材１８、１８間のうち三組の梁部材１８、１８間に移動自在に支承されている。
残りの一組の梁部材１８、１８間には耐火金庫２５が移動自在に支承されている。
そして、三台のうち所望の収納ボックス１９が選択されて収納口１４に対して移動されることにより、所望の物品が収納口１４を通じて収納ボックス１９に対して適宜に収容されたり取り出されたりするようになっている。
【００１４】
図２および図３に示されているように、収納ボックス１９は物品を収納する本体２０および蓋体２１（図１では図示を省略している。）を備えている。本体２０は耐水性の合板が使用されて上面開口の略正方形の箱形状に形成されている。蓋体２１は軽量の合板が使用されて、本体２０の上面開口を閉塞可能な板形状に形成されている。
収納ボックス１９の高さは床下１１の高さと可及的に等しくなるように設定されており、その平面の面積は一対の支持プレート３０、３０が画成する平面の面積と可及的に等しくなるように設定されている。
図１に示されているように、収納ボックス１９の本体２０の前面における上端部中央には、収納ボックス１９を待機位置から収納口１４の真下位置に引き出すために使用する把手２２が設置されている。
把手２２の上側には名札入れ２３が設置されている。例えば、名札入れ２３は衣類や書籍のように収納ボックス１９に収納する物品の分類項目等を表示した名札を入れるのに使用することができる。
収納ボックス１９の本体２０の下面には取付板２４が敷設されている。
【００１５】
一対の支持プレート３０、３０は互いに対称形の長方形の板形状に形成されている。
支持プレート３０はスチール等の剛性を有する材料によって長方形の板形状に形成されている。支持プレート３０の上下方向の幅は収納ボックス１９の高さよりも低く床下１１の高さよりも高く設定されており、支持プレート３０の水平方向の長さは梁部材１８の長さよりも短く設定されている。
図２に示されているように、支持プレート３０の外側の側面には剛性を高めるためのリブ３１が複数本、適宜に縦横に突設されている。
【００１６】
一対の支持プレート３０、３０の下端と収納ボックス１９の底面の取付板２４との間には、収納ボックス１９を移動自在に支承する一対のガイドレール３２、３２が設置されている。一対のガイドレール３２、３２は互いに対称形に配置されている。
ガイドレール３２は固定ステーと可動ステーと中間ステーとを有するテレスコープ構造に構成されている。
固定ステー３３は天井壁が略全長にわたって開口し、かつ、長さが支持プレート３０の長さよりも短い略正方形の筒形状に形成されており、支持プレート３０の下端に内側に突出するように水平に配されてアングル形状のブラケット３４によって固定されている。
可動ステー３５は底壁が略全長わたって開口し、かつ、長さが固定ステー３３と等しい略正方形の筒形状に形成されており、固定ステー３３に真上で対向し、かつ、平行に配されて収納ボックス１９の取付板２４に固定されている。可動ステー３５の後端寄りの位置には係合爪３６が下向きに突設されている。
中間ステー３７は長さが固定ステー３３および可動ステー３５と略等しい軸形状に形成されており、下側半分が固定ステー３３に、上側半分が可動ステー３５にそれぞれ摺動自在に挿入されている。中間ステー３７の固定ステー３３および可動ステー３５の挿入部分における側面にはボール３８が複数個ずつ、それぞれ全長にわたって等間隔に配置されて保持されており、各ボール３８は保持された状態で固定ステー３３および可動ステー３５の内面を転動するようになっている。
【００１７】
支持プレート３０に固定された一対の固定ステー３３、３３の後端部には、収納ボックス１９の移動の停止を制御する停止制御装置４０がそれぞれ設置されている。
停止制御装置４０はエアシリンダ装置４１を備えており、エアシリンダ装置４１は固定ステー３３の後端部における内側側面に平行に配置されて固定されている。エアシリンダ装置４１のピストンロッド４２の突出端部は、エアシリンダ装置４１の前側に敷設されたガイド４４によって摺動自在に支承されており、ピストンロッド４２の突出端部には係合爪３６と係合する係合部４３が形成されている。
【００１８】
次に、以上の構成に係る床下収納装置１０の使用方法および作用を説明する。
【００１９】
図１、図２および図３に示されているように、床下収納装置１０の収納状態においては、収納ボックス１９は一対の支持プレート３０、３０の間の待機位置に後退されており、可動ステー３５の係合爪３６が停止制御装置４０の係合部４３に係合している。
この可動ステー３５の係合爪３６が停止制御装置４０の係合部４３に係合した状態においては、収納ボックス１９は停止制御装置４０によって強制的に停止された状態になっているために、地震等によって収納ボックス１９に不慮の外力が作用したとしても、収納ボックス１９が移動することはない。
また、可動ステー３５および中間ステー３７が固定ステー３３に引き込まれた状態になっているために、収納ボックス１９は一対のガイドレール３２、３２を介して一対の支持プレート３０、３０によって水平に支持された状態になっている。
【００２０】
収納ボックス１９に対して物品を出し入れするに際しては、収納口１４が蓋体１５を外されることによって開口される。
次いで、所望の収納ボックス１９が把手２２を持たれて収納口１４の真下位置である出し入れ位置に引き出される。
【００２１】
収納ボックス１９が出し入れ位置に引き出される際には、中間ステー３７のボール３８が固定ステー３３および可動ステー３５を相対的に転動しながら走行するので、収納ボックス１９は騒音や振動を発生せずに滑らかに走行する。
しかも、収納ボックス１９のガイドレール３２は支持プレート３０によって基礎１２から浮かされているため、走行時の音が基礎１２に伝達されるのは殆ど抑止される。
【００２２】
収納ボックス１９が引き出されて行くのに伴って、ガイドレール３２の可動ステー３５および中間ステー３７は固定ステー３３から順次に突出して行き、最も引き出された状態において、図４に示されたオーバハングの状態になる。しかし、ガイドレール３２はテレスコープ構造に構成されているので、収納ボックス１９が傾くことはない。
【００２３】
収納ボックス１９の引き出し作動の初期において、係合爪３６が係合部４３に係合しているので、可動ステー３５は収納ボックス１９の走行に追従してピストンロッド４２を引き出す。これにより、停止制御装置４０はエアシリンダ装置４１に蓄力する（例えば、リターンスプリングを撓ませる。）。
ピストンロッド４２の係合部４３が所定の位置に達すると、係合爪３６と係合部４３との係合が自動的に解除し、エアシリンダ装置４１の蓄力を維持する状態（例えば、シリンダ室を密封する状態）になる。
係合爪３６と係合部４３との係合が解除した後は、可動ステー３５すなわち収納ボックス１９は停止制御装置４０に制御されずに自由に走行し得る状態になる。
【００２４】
収納ボックス１９に対して物品が出し入れされた後に、収納ボックス１９は元の待機位置に押し戻される。
収納ボックス１９が押し戻されて行くのに伴って、ガイドレール３２の可動ステー３５および中間ステー３７は固定ステー３３に順次にしまい込まれて行く。
収納ボックス１９の押し戻し作動の終期において、係合爪３６が係合部４３に自動的に係合することにより、収納ボックス１９は停止制御装置４０に連結した状態になる。
同時に、停止制御装置４０はエアシリンダ装置４１の蓄力をきわめて緩慢に放出する状態（例えば、気密になったシリンダ室を絞りによって大気と連通させる状態）になるために、収納ボックス１９は停止制御装置４０のピストンロッド４２によって移動を制御される状態になり、停止制御装置４０によって自動的に衝撃なく停止される。
収納ボックス１９が停止制御装置４０によって自動的に停止されると、図１、図２および図３に示されているように、収納ボックス１９は元の状態に戻る。
【００２５】
前記実施の形態によれば、次の効果が得られる。
【００２６】
（１）ガイドレール上を走行する収納ボックスの停止時の衝撃の発生自体を、停止制御装置によって防止することができるので、収納ボックスの停止時の衝撃音を抑止することができる。
【００２７】
（２）しかも、収納ボックスを移動自在に支承するガイドレールおよび停止制御装置は、梁部材に垂下された支持プレートに設置されていることにより、収納ボックス停止時の衝撃音が支持プレートによって緩和されて梁部材および支柱に伝わるために、衝撃音を抑制することができる。
【００２８】
（３）ガイドレールをテレスコープ構造に構成することにより、収納ボックスを基礎から浮かせたオーバハング状態で強固に支持することができるので、収納ボックスの走行時の騒音の発生を殆ど抑止することができる。
【００２９】
（４）前記（１）および（２）により、マンション等の集合住宅または二階建て以上の戸建て住宅であっても床下収納装置を設置することができるため、それらの住宅の床下を活用して収納スペースを増加させることができるとともに、相対的に居住スペースを増加させることができる。
【００３０】
（５）床下収納家具は床下空間の高さに対応して高さを変更調整することができるので、任意の住宅に対応することができ、また、汎用性を確保することにより、コストダウンを図ることができる。
【００３１】
図５は本発明の他の実施の形態である床下収納装置を示す図２に相当する一部省略正面断面図である。
本実施の形態の形態が前記実施の形態と異なる点は、縦型のガイドレール３２Ａが高さの低い支持プレート３０Ａの下端と収納ボックス１９の側面との間に敷設されている点である。
本実施の形態によれば、ガイドレール３２Ａが縦型に構成されているので、収納ボックス１９の荷重が大きい場合であっても、充分に支持することができる。
また、ガイドレール３２Ａおよび停止制御装置（図５では図示省略）が収納ボックスの側面に配設されているので、その分、収納ボックスの高さ（深さ）を大きくでき、収納ボックスの容量を増加することができる。
【００３２】
なお、本発明は前記実施の形態に限定されるものではなく、その要旨を逸脱しない範囲で種々に変更が可能であることはいうまでもない。
【００３３】
例えば、停止制御装置は一対のガイドレールの両方に設置するに限らず、一対のガイドレールの少なくとも一方に設置してもよい。
【００３４】
また、停止制御装置は一対のガイドレールに支承された収納ボックスの後退移動の停止を制御するように設置するに限らず、収納ボックスの前進移動の停止をも制御するように設置してもよい。すなわち、停止制御装置はガイドレールの両端部にそれぞれ設置してもよい。
【００３５】
停止制御装置はエアシリンダ装置を使用して構成するに限らず、油圧シリンダ装置や発条装置等を使用して構成してもよい。
【図面の簡単な説明】
【００３６】
【図１】本発明の一実施の形態である床下収納装置を示す一部切断斜視図である。
【図２】一部省略正面断面図である。
【図３】一部省略一部切断側面図である。
【図４】収納ボックスの引き出し状態を示す一部省略側面図である。
【図５】本発明の他の実施の形態である床下収納装置を示す一部省略正面断面図である。
【符号の説明】
【００３７】
１０…床下収納装置、１１…床下、１２…床の基礎、１３…床板、１４…収納口、１５…蓋体、１６…内側支柱、１７…外側支柱、１８…梁部材、１９…収納ボックス、２０…本体、２１…蓋体、２２…把手、２３…名札入れ、２４…取付板、２５…耐火金庫、３０…支持プレート、３１…リブ、３２…ガイドレール、３３…固定ステー、３４…ブラケット、３５…可動ステー、３６…係合爪、３７…中間ステー、３８…ボール、４０…停止制御装置、４１…エアシリンダ装置、４２…ピストンロッド、４３…係合部、４４…ガイド。
【図１】
2007177532.tif 000003
【図２】
2007177532.tif 000004
【図３】
2007177532.tif 000005
【図４】
2007177532.tif 000006
【図５】
2007177532.tif 000007